(57)【要約】【課題】  印刷物としての利便性、快適性を確保し、印刷、輸送、販売、並びに廃棄処理の各コスト低減、及び廃棄処分に伴う環境への負荷低減を図ることが可能な出版物の電子配送システムを提供する。【解決手段】  出版物の記事データ及び広告データを有する出版データを蓄積しネットワーク１１を介して配送する出版者側情報処理装置１２と、出版者側情報処理装置１２から配送された出版データを受け取る消費者側情報処理装置１３とを備えた出版物の電子配送システム１０において、消費者側情報処理装置１３は、出版者側情報処理装置１２に蓄積されている出版データの中から特定の出版データを選択してその配送を要求する出版データ要求手段１４と、配送された特定の出版データを複数回の書込み及び消去が可能なリライタブルペーパーに印刷する印刷手段１５を有している。【選択図】        図１
2005175899.tif 000002
【特許請求の範囲】
【請求項１】
出版物の記事内容を示す記事データ及び広告内容を示す広告データを有する出版データを蓄積しネットワークを介して配送する出版者側情報処理装置と、前記出版者側情報処理装置から配送された前記出版データを受け取る消費者側情報処理装置とを備えた出版物の電子配送システムにおいて、
前記消費者側情報処理装置は、前記ネットワークを介して前記出版者側情報処理装置に接続を要求する接続信号、及び接続した後に前記出版者側情報処理装置に蓄積されている前記出版データの中から特定の出版データを選択してその配送を要求する要求信号を含む配送依頼信号を出力する出版データ要求手段と、
配送された特定の出版データを複数回の書込み及び消去が可能なリライタブルペーパーに印刷する印刷手段とを有していることを特徴とする出版物の電子配送システム。
【請求項２】
請求項１記載の出版物の電子配送システムにおいて、前記出版者側情報処理装置には、前記接続信号から前記消費者側情報処理装置の接続可否を判定する接続認証手段が設けられていることを特徴とする出版物の電子配送システム。
【請求項３】
請求項１及び２のいずれか１項に記載の出版物の電子配送システムにおいて、前記出版データ要求手段には前記配送依頼信号を定められたタイミングで前記出版者側情報処理装置に出力する送信タイミング設定部が設けられていることを特徴とする出版物の電子配送システム。
【請求項４】
請求項１及び２のいずれか１項に記載の出版物の電子配送システムにおいて、前記出版者側情報処理装置には、前記要求信号を記憶し定められたタイミングで該要求信号を該出版者側情報処理装置内で自己出力する配送タイミング手段が設けられていることを特徴とする出版物の電子配送システム。
【請求項５】
請求項１〜４のいずれか１項に記載の出版物の電子配送システムにおいて、前記印刷手段には、配送された特定の出版データを前記リライタブルペーパーに印刷する自動データ印刷部と、印刷終了後に特定の出版データを消去する自動データ消去部が設けられていることを特徴とする出版物の電子配送システム。
【請求項６】
請求項１〜５のいずれか１項に記載の出版物の電子配送システムにおいて、前記印刷手段には、印刷前に、使用済みの前記リライタブルペーパーを書込み可能な状態にする印刷内容消去部が設けられていることを特徴とする出版物の電子配送システム。
【請求項７】
請求項１〜４のいずれか１項に記載の出版物の電子配送システムにおいて、前記印刷手段が配送された特定の出版データを前記リライタブルペーパーに印刷するファックス受信機であることを特徴とする出版物の電子配送システム。
【請求項８】
請求項１〜７のいずれか１項に記載の出版物の電子配送システムにおいて、前記出版者側情報処理装置には、蓄積している前記出版データを定められたタイミングで更新する出版データ更新手段が設けられていることを特徴とする出版物の電子出版システム。
【請求項９】
請求項１〜８のいずれか１項に記載の出版物の電子配送システムにおいて、前記出版者側情報処理装置には、前記消費者側情報処理装置毎に前記要求信号に応じて特定の出版データの配送を行ったことを記憶する配送管理手段が設けられていることを特徴とする出版物の電子出版システム。
【請求項１０】
請求項１〜９のいずれか１項に記載の出版物の電子配送システムにおいて、前記出版者側情報処理装置には、前記出版データを蓄積する毎に、該出版データの有する前記広告データと該広告データの広告主を記憶する広告主管理手段が設けられていることを特徴とする出版物の電子出版システム。
【発明の詳細な説明】
【技術分野】
【０００１】
本発明は、複数回の書込み及び消去が可能なリライタブルペーパーに出版物の出版データを印刷する出版物の電子配送システムに関する。ここで、出版物とは、例えば、書籍、広告用チラシ、定期出版物（例えば、週刊誌、月刊誌、季刊誌等の雑誌や新聞、定期的発行のカタログ）を指す。
【背景技術】
【０００２】
従来、出版物、例えば定期出版物は、印刷、輸送、販売、配達の各工程を経て消費者のもとに届けられているので、消費者が実際に定期出版物を入手するまでには多くの時間を要している。
また、定期出版物は読み終わるとそのほとんどが即座に不要物になり、書店で販売されていても発行されてから一定時間が経過するとその価値は著しく減少してしまい、いずれも廃棄処分の対象となる。このため、不要になった定期出版物の廃棄処理コストや、廃棄処分に伴う環境への影響が問題となっている。
そこで、印刷、輸送、販売の各工程を省いて、例えば、インターネット等のネットワークを用いて直接消費者に定期出版物を届ける電子出版システムが提案されている（例えば、特許文献１参照）。そして、この電子出版システムを利用すると、消費者は定期出版物を即座に入手することができると共に、定期出版物は印刷物として存在していないため、不要になっても廃棄処分する必要がないという利点がある。
【０００３】
【特許文献１】特開２００３−２８１１２７号公報
【発明の開示】
【発明が解決しようとする課題】
【０００４】
しかしながら、特許文献１に記載されているような電子出版システムでは、消費者が定期出版物を入手するには、消費者側の操作端末を用いてその都度出版者側のホームページ等にアクセスしたり、出版者側からの電子メールを消費者側の操作端末を用いて読む等の手間をかける必要がある。
そして、定期出版物は操作端末のディスプレイ上で読む必要があるため、視認性が非常に低下するという問題が生じる。更に、ページをめくる操作として、例えば、マウスの操作ボタンをクリックすることが必要となり、印刷された定期出版物に比較して利便性が極端に悪いという問題がある。
近年、視認性に優れたディスプレイを備え、操作性能が高く、かつ、薄型で持ち運びが容易な操作端末が開発されてきているが、印刷された定期出版物の有する、例えば、取扱いや回覧が容易で、利用方法の制約が少ないという利便性、及びページを素早くめくることが可能であるという快適性を共に凌駕するには到っていない。
【０００５】
本発明はかかる事情に鑑みてなされたもので、印刷物としての出版物の持つ利便性、快適性を確保しながら、印刷、輸送、販売、配達、並びに廃棄処理の各コスト低減、及び廃棄処分に伴う環境への負荷低減を図ることが可能な出版物の電子配送システムを提供することを目的とする。
【課題を解決するための手段】
【０００６】
前記目的に沿う請求項１記載の出版物の電子配送システムは、出版物の記事内容を示す記事データ及び広告内容を示す広告データを有する出版データを蓄積しネットワークを介して配送する出版者側情報処理装置と、前記出版者側情報処理装置から配送された前記出版データを受け取る消費者側情報処理装置とを備えた出版物の電子配送システムにおいて、
前記消費者側情報処理装置は、前記ネットワークを介して前記出版者側情報処理装置に接続を要求する接続信号、及び接続した後に前記出版者側情報処理装置に蓄積されている前記出版データの中から特定の出版データを選択してその配送を要求する要求信号を含む配送依頼信号を出力する出版データ要求手段と、
配送された特定の出版データを複数回の書込み及び消去が可能なリライタブルペーパーに印刷する印刷手段とを有している。
【０００７】
請求項２記載の出版物の電子配送システムは、請求項１記載の出版物の電子配送システムにおいて、前記出版者側情報処理装置には、前記接続信号から前記消費者側情報処理装置の接続可否を判定する接続認証手段が設けられている。
【０００８】
請求項３記載の出版物の電子配送システムは、請求項１及び２記載の出版物の電子配送システムにおいて、前記出版データ要求手段には前記配送依頼信号を定められたタイミングで前記出版者側情報処理装置に出力する送信タイミング設定部が設けられている。
【０００９】
請求項４記載の出版物の電子配送システムは、請求項１及び２記載の出版物の電子配送システムにおいて、前記出版者側情報処理装置には、前記要求信号を記憶し定められたタイミングで該要求信号を該出版者側情報処理装置内で自己出力する配送タイミング手段が設けられている。
【００１０】
請求項５記載の出版物の電子配送システムは、請求項１〜４記載の出版物の電子配送システムにおいて、前記印刷手段には、配送された特定の出版データを前記リライタブルペーパーに印刷する自動データ印刷部と、印刷終了後に特定の出版データを消去する自動データ消去部が設けられている。
【００１１】
請求項６記載の出版物の電子配送システムは、請求項１〜５記載の出版物の電子配送システムにおいて、前記印刷手段には、印刷前に、使用済みの前記リライタブルペーパーを書込み可能な状態にする印刷内容消去部が設けられている。
【００１２】
請求項７記載の出版物の電子配送システムは、請求項１〜４記載の出版物の電子配送システムにおいて、前記印刷手段が配送された特定の出版データを前記リライタブルペーパーに印刷するファックス受信機である。
【００１３】
請求項８記載の出版物の電子配送システムは、請求項１〜７記載の出版物の電子配送システムにおいて、前記出版者側情報処理装置には、蓄積している前記出版データを定められたタイミングで更新する出版データ更新手段が設けられている。
【００１４】
請求項９記載の出版物の電子配送システムは、請求項１〜８記載の出版物の電子配送システムにおいて、前記出版者側情報処理装置には、前記消費者側情報処理装置毎に前記要求信号に応じて特定の出版データの配送を行ったことを記憶する配送管理手段が設けられている。
【００１５】
請求項１０記載の出版物の電子配送システムは、請求項１〜９記載の出版物の電子配送システムにおいて、前記出版者側情報処理装置には、前記出版データを蓄積する毎に、該出版データの有する前記広告データと該広告データの広告主を記憶する広告主管理手段が設けられている。
【発明の効果】
【００１６】
請求項１〜１０記載の出版物の電子配送システムにおいては、配送された特定の出版データをリライタブルペーパーに印刷する印刷手段を有するので、配送された特定の出版データをリライタブルペーパーに印刷して印刷物として使用することができ、利便性及び快適性を確保して配送された特定の出版データを利用することが可能になる。
また、印刷済のリライタブルペーパーは複数回繰り返し印刷に使用することができるので、印刷された特定の出版データが不要になった場合でも廃棄する必要がなく、廃棄処分に伴う環境への負荷を低減することが可能になる。
【００１７】
特に、請求項２記載の出版物の電子配送システムにおいては、出版者側情報処理装置には、接続信号から消費者側情報処理装置の接続可否を判定する接続認証手段が設けられているので、出版データの配送を、例えば、予め登録された消費者側情報処理装置に限定することができ、出版データの不正利用を容易に防止することが可能になる。
【００１８】
請求項３記載の出版物の電子配送システムにおいては、出版データ要求手段には配送依頼信号を定められたタイミングで出版者側情報処理装置に出力する送信タイミング設定部が設けられているので、出版者側情報処理装置は受信した要求信号に基づいて特定の出版データを要求した消費者側情報処理装置に配送することができ、消費者側情報処理装置では出版物の出版データを定められたタイミングで確実に入手することが可能になる。このため、例えば、定期出版物の出版データの入手に有効に機能することができる。
【００１９】
請求項４記載の出版物の電子配送システムにおいては、出版者側情報処理装置には、要求信号を記憶し定められたタイミングで要求信号を出版者側情報処理装置内で自己出力する配送タイミング手段が設けられているので、消費者側情報処理装置では出版物の出版データを自動的に入手することが可能になる。従って、例えば、定期出版物の出版データの入手に特に有効に機能することができる。
【００２０】
請求項５記載の出版物の電子配送システムにおいて、印刷手段には、配送された特定の出版データをリライタブルペーパーに印刷する自動データ印刷部と、印刷終了後に特定の出版データを消去する自動データ消去部が設けられているので、配送された出版データを繰り返し印刷することができず、印刷物として出版された場合と同様に著作権を保護することが可能になる。
【００２１】
請求項６記載の出版物の電子配送システムにおいては、印刷手段には、印刷前に使用済みのリライタブルペーパーを書込み可能な状態にする印刷内容消去部が設けられているので、印刷済のリライタブルペーパーを使用寿命まで消費者側情報処理装置で繰り返し使用することが可能になる。その結果、使用済みのリライタブルペーパーの回収コストの発生を防止することが可能になる。
【００２２】
請求項７記載の出版物の電子配送システムにおいては、印刷手段が配送された特定の出版データをリライタブルペーパーに印刷するファックス受信機であるので、配送された出版データは受信と同時に１回だけ印刷することができ、印刷物として出版された場合と同様に著作権を容易に保護することが可能になる。
【００２３】
請求項８記載の出版物の電子配送システムにおいては、出版者側情報処理装置には、蓄積している出版データを定められたタイミングで更新する出版データ更新手段が設けられているので、消費者側情報処理装置に対して常に最新の出版データを配送することが可能になる。
【００２４】
請求項９記載の出版物の電子配送システムにおいては、出版者側情報処理装置には、消費者側情報処理装置毎に要求信号に応じて特定の出版データの配送を行ったことを記憶する配送管理手段が設けられているので、出版者側情報処理装置において消費者側情報処理装置毎に出版データの配送内容を容易に把握することが可能になる。その結果、消費者毎に出版データの配送に伴う費用の算出及び請求を行なうことが容易になる。
【００２５】
請求項１０記載の出版物の電子配送システムにおいては、出版者側情報処理装置には、出版データを蓄積する毎に、出版データの有する広告データと広告データの広告主を記憶する広告主管理手段が設けられているので、出版者側情報処理装置において広告主毎に広告データの蓄積内容を容易に把握することが可能になる。その結果、広告主毎に広告掲載に伴う費用の算出及び請求を行なうことが容易になる。
【発明を実施するための最良の形態】
【００２６】
続いて、添付した図面を参照しつつ、本発明を具体化した実施の形態につき説明し、本発明の理解に供する。
ここで、図１は本発明の第１の実施の形態に係る出版物の電子配送システムの説明図、図２は同出版物の電子配送システムの消費者側情報処理装置の説明図、図３は同出版物の電子配送システムの出版者側情報処理装置の説明図、図４は本発明の第２の実施の形態に係る出版物の電子配送システムの消費者側情報処理装置の説明図、図５は本発明の第３の実施の形態に係る出版物の電子配送システムの消費者側情報処理装置の説明図、図６は同出版物の電子配送システムの出版者側情報処理装置の説明図である。
【００２７】
図１に示すように、本発明の第１の実施の形態に係る出版物の電子配送システム１０は、出版物の一例である定期出版物の記事内容を示す記事データ及び広告内容を示す広告データを有する出版データを蓄積し、例えばインターネット等の情報通信回線を有するネットワーク１１を介して消費者側に配送する出版者側情報処理装置１２と、出版者側情報処理装置１２から配送された出版データを受け取る消費者側情報処理装置１３を有している。以下これらについて、詳細に説明する。
【００２８】
図２に示すように、消費者側情報処理装置１３は、ネットワーク１１を介して出版者側情報処理装置１２に蓄積されている出版データの中から特定の出版データの配送を要求する出版データ要求手段１４と、配送された特定の出版データをリライタブルペーパーに印刷する印刷手段１５を有している。
また、出版データ要求手段１４は、ネットワーク１１を介して出版者側情報処理装置１２に接続を要求する接続信号を送信する接続要求部１６と、出版者側情報処理装置１２に接続した後に出版者側情報処理装置１２に蓄積されている出版データの中から特定の出版データの配送を要求する要求信号を送信する出版データ選定部１７を備えている。
【００２９】
ここで、接続要求部１６は、例えば、出版者側情報処理装置１２が消費者側情報処理装置１３を特定する際に使用するＩＤコードと、消費者側情報処理装置１３が正当接続許可者であることを表明するパスワードを備えた接続信号を送信する機能を備えている。
なお、接続要求部１６には、出版者側情報処理装置１２に対して、ＩＤコードの付与を申請すると共に、消費者側情報処理装置１３が使用するパスワードを登録申請する機能が設けられている。これによって、新たな消費者側情報処理装置が出版者側情報処理装置１２に対してネットワーク１１を介して接続することが可能になる。
そして、接続要求部１６は、上記の機能を発現するプログラムを、コンピュータに搭載することにより構成することができる。
【００３０】
接続を要求してきた消費者側情報処理装置１３がＩＤコードとパスワードから正当な利用者であることが出版者側情報処理装置１２において確認された場合、消費者側情報処理装置１３がネットワーク１１を介して出版者側情報処理装置１２と接続される。
消費者側情報処理装置１３が出版者側情報処理装置１２に接続されると、出版者側情報処理装置１２から蓄積している出版データの項目データ（例えば、定期出版物の名称と掲載されている記事の分野等）が消費者側情報処理装置１３に送信される。
ここで、出版データ選定部１７は、送信された項目データを受信して表示し、項目データの中から特定の項目データが、消費者側情報処理装置１３に設けられた操作手段１７ａを用いて選択されたことを受けて、選択された特定の出版データの配送を要求する要求信号を出版者側情報処理装置１２に送信する機能を有している。
【００３１】
なお、出版データ要求手段１４には、接続要求部１６から送信する接続信号と、出版データ選定部１７から送信する要求信号を含む配送依頼信号を記憶して、予め設定された年月日に、この記憶された配送依頼信号を出版者側情報処理装置１２に送信する機能を備えた送信タイミング設定部１８が設けられている。これによって、定期的に配送依頼信号を出版者側情報処理装置１２に自動的に送信するようにできる。
そして、出版データ選定部１７及び送信タイミング設定部１８は、上記の各機能を発現するプログラムを、コンピュータに搭載することにより構成することができる。また、操作手段１７ａには、例えば、キーボードやマウスを使用することができる。
【００３２】
印刷手段１５は、配送依頼信号に基づいて配送された特定の出版データを受信して保存し、特定の出版データの受信が終了したことを受けて特定の出版データを自動的に送信する機能を備えた出版データ受信部１９を有している。なお、出版データ受信部１９の機能を、操作手段１７ａからの印刷指示信号を受けてから保存している特定の出版データを送信するようにしてもよい。
また、印刷手段１５は、出版データ受信部１９から送られてきた特定の出版データを受信してリライタブルペーパーに印刷する機能を備えた自動データ印刷部２０と、リライタブルペーパーへの印刷が終了したのを受けて出版データ受信部１９に保存されている特定の出版データの消去を指示する消去信号を送信する機能を備えた自動データ消去部２１を有している。
更に、印刷手段１５は、印刷前に使用済みのリライタブルペーパーを書込み可能な状態にして自動データ印刷部２０に給紙する印刷内容消去部２２を有している。
そして、出版データ受信部１９及び自動データ消去部２１は、上記の各機能を発現するプログラムを、コンピュータに搭載することにより構成することができる。
【００３３】
ここで、リライタブルペーパーとは、複数回の書込み及び消去が可能な印刷紙であり、例えば、印刷紙の印字層中に染料と加熱により溶融する顕色剤を存在させて、短時間（例えば、２０〜８０ミリ秒間）の高温（例えば、１７０〜１９０℃）加熱により染料と顕色剤の混合状態を出現させて発色、すなわち印字を行ない、長時間（例えば、０．３〜１秒間）の低温（例えば、１２０〜１４０℃）加熱により染料と顕色剤の分離状態を出現させて退色、すなわち消字を行うタイプの感熱紙型のリライタブルペーパーを使用することができる。
そして、感熱紙型のリライタブルペーパーを使用する場合、自動データ印刷部２０としては、例えば、コンピュータに接続可能で、印字用に感熱ヘッドを備えた感熱型プリンターを使用することができる。
【００３４】
更に、印刷内容消去部２２としては、０．３〜１秒の間に１２０〜１４０℃まで加熱して冷却する能力を備えた加熱冷却機を使用することができる。なお、感熱型プリンターの給紙口と感熱ヘッドの間に印刷内容消去部２２を設けることにより、印刷内容消去部２２と自動データ印刷部２０の一体化を図ることができる。
なお、リライタブルペーパーには、特定波長の光が照射されることにより発色し、別の特定波長の光が照射されることにより消色するフォトクロミック化合物を使用した感光紙型のリライタブルペーパーの開発も行われている。そして、このような感光紙型のリライタブルペーパーを使用する場合は、自動データ印刷部２０及び印刷内容消去部２２の仕様を感光紙型のリライタブルペーパー用に変更すればよい。
【００３５】
図３に示すように、出版者側情報処理装置１２は、定期出版物の記事内容を示す記事データ及び広告内容を示す広告データを有する出版データを受け入れて保存する出版データ受け入れ系統２３と、出版データ受け入れ系統２３に保存されている出版データを受け入れて蓄積しネットワーク１１を介して配送する出版データ配送系統２４と、出版データ配送系統２４に蓄積されている出版データを定期的に更新する出版データ更新系統２５を有している。
出版データ受け入れ系統２３は、定期出版物の記事内容を示す記事データを入力する機能を備えた記事データ入力手段２６と、広告内容を示す広告データを入力する機能を備えた広告データ入力手段２７を有している。ここで、記事データ入力手段２６及び広告データ入力手段２７は、上記の各機能を発現するプログラムを搭載したコンピュータを用いて構成することができる。
【００３６】
更に、出版データ受け入れ系統２３は、記事データ入力手段２６及び広告データ入力手段２７から送られた記事データ及び広告データを保存する、例えば、ハードディスク、磁気テープ等の大容量記録が可能な記録媒体を備えた入力情報記憶手段２８を有している。
なお、入力情報記憶手段２８に保存される記事データ及び広告データは、記事データと広告データがそれぞれ個別に保存される場合と、予め設定されている出版物の構成にしたがって記事データと広告データが編集されて保存される場合がある。
このような構成とすることにより、定期出版物に掲載される記事内容と広告内容を示す記事データ及び広告データをそれぞれ作成して、定期出版物の出版データを作成することができる。
【００３７】
出版データ配送系統２４は、消費者側情報処理装置１３から送られた接続信号に含まれるＩＤコードとパスワードから消費者側情報処理装置１３の接続可否を判定する機能を備えた接続認証手段２９を有している。
また、出版データ配送系統２４は、出版データ受け入れ系統２３に保存されている出版データを受け入れて蓄積する機能を備えた出版データ蓄積手段３０と、消費者側情報処理装置１３が出版者側情報処理装置１２に接続されたのを受けて出版データ蓄積手段３０に蓄積されている出版データの中から項目データ（例えば、定期出版物の名称と掲載されている記事のタイトル等）を抽出し、ネットワーク１１を介して消費者側情報処理装置１３に送信する機能を備えた項目データ送信手段３１を有している。
【００３８】
更に、出版データ配送系統２４は、消費者側情報処理装置１３から送信された特定の出版データの配送を要求する要求信号を受けて出版データ蓄積手段３０内の出版データから対応する特定の出版データを抽出しネットワーク１１を介して配送する機能を備えた出版データ配送手段３２を有すると共に、要求信号に応じて出版データ配送手段３２が消費者側情報処理装置１３に特定の出版データを配送したのを受けて、消費者側情報処理装置１３毎に特定の出版データの配送を行ったことを記憶する機能を備えた配送管理手段３３を有している。これによって、消費者側情報処理装置１３毎にどのような出版データを配送したかの記録を取ることができる。
ここで、接続認証手段２９、出版データ蓄積手段３０、項目データ送信手段３１、出版データ配送手段３２、及び配送管理手段３３は、上記の各機能を発現するプログラムをコンピュータに搭載させることにより構成することができる。
【００３９】
出版データ更新系統２５は、入力情報記憶手段２８内に保存されている各出版データを予め設定された期間毎に出版データ蓄積手段３０に送り、出版データ蓄積手段３０内に蓄積されている出版データと入れ換える機能を備えた出版データ更新手段３４が設けられている。
ここで、予め設定された期間とは、例えば、出版データが新聞のような日刊紙の場合は毎日、出版データが週刊誌の場合には１週間、出版データが月刊誌の場合には１ヶ月、出版データが季刊誌の場合には３カ月になる。これによって、出版データ蓄積手段３０内に蓄積されている出版データを常に最新の出版データにすることができる。
また、出版データ更新系統２５は、出版データ蓄積手段３０に出版データを蓄積する毎に、その出版データが有する広告データと、その広告データの広告主を記憶する機能を備えた広告主管理手段３５が設けられている。これによって、広告主毎に広告データの蓄積内容を容易に把握することができる。
ここで、出版データ更新手段３４、広告主管理手段３５は、上記の各機能を発現するプログラムをコンピュータに搭載させることにより構成することができる。
【００４０】
次に、本発明の第１の実施の形態に係る出版物の電子配送システム１０の使用方法について説明する。
出版物の電子配送システム１０の出版者側情報処理装置１２の出版データ受け入れ系統２３において、定期出版物に掲載する記事内容を示す記事データは記事データ入力手段２６を用いて、定期出版物に掲載する広告内容を示す広告データは広告データ入力手段２７を用いてそれぞれ入力する。入力された記事データ及び広告データは定期出版物の出版データとして入力情報記憶手段２８に逐次保存される。
そして、入力情報記憶手段２８に保存された出版データは、出版データ更新系統２５の出版データ更新手段３４により、定期出版物の発行時期に間にあうように予め設定された期間毎に出版データ配送系統２４の出版データ蓄積手段３０に送信されて蓄積される。
【００４１】
ここで、定期出版物が新聞のように毎日発行される場合は、出版データは毎日決められた時間に出版データ蓄積手段３０に送信され、蓄積されている出版データと入れ換えられる。また、定期出版物が週刊誌のように毎週発行される場合は１週間毎に、定期出版物が月刊誌のように毎月発行される場合は１ヶ月毎に、定期出版物が季刊誌のように年に４回発行される場合は３ヶ月毎に、出版データは決められた日に出版データ蓄積手段３０に送信され、蓄積されている出版データと入れ換えられる。
このため、出版データ蓄積手段３０には、各定期出版物の発行形態に応じて常に最新の出版データが蓄積されている状態にすることができる。
そして、出版データ蓄積手段３０に蓄積されている出版データが入れ換えられる度に、広告主管理手段３５により、各出版データに含まれる広告データの内容とその広告データの広告主が記憶される。これによって、広告主毎に広告データの内容（例えば、定期出版物名称、広告の大きさ、掲載回収等）を容易に把握することができ、広告主毎に広告掲載に伴う費用の請求を容易に行うことができる。
【００４２】
出版物の電子配送システム１０において、消費者側情報処理装置１３からネットワーク１１を介して出版者側情報処理装置１２に接続して定期出版物の出版データを入手しようとする場合、先ず、出版データ要求手段１４の接続要求部１６を用いて、例えば、ＩＤコード及びパスワードを入力して接続信号をネットワーク１１を介して出版者側情報処理装置１２に送信する。
接続信号は出版者側情報処理装置１２の接続認証手段２９で受け取られ、接続認証手段２９に予め登録しておいたＩＤコードとパスワードの組み合わせと一致するかの確認が行われる。送信された接続信号のＩＤコードとパスワードが登録されているＩＤコードとパスワードの組み合わせと一致する場合、項目データ送信手段３１を起動して消費者側情報処理装置１３と出版者側情報処理装置１２が接続状態になる。そして、項目データ送信手段３１は、出版データ蓄積手段３０に蓄積されている出版データの中から項目データを抽出しネットワーク１１を介して消費者側情報処理装置１３に送信する。
なお、接続認証手段２９にＩＤコードとパスワードの組み合わせが登録されていない場合は、接続要求部１６から、出版者側情報処理装置１２に対してＩＤコードの付与申請を行うと共に、消費者側情報処理装置１３が使用するパスワードの登録申請を行う。
【００４３】
送信された項目データは消費者側情報処理装置１３の出版データ選定部１７で受信され、消費者側情報処理装置１３に設けられた表示装置に表示する。そして、表示された項目データの中から特定の項目データが消費者側情報処理装置１３に設けられた操作手段１７ａを用いて選択されると、出版データ選定部１７から出版者側情報処理装置１２に向けて選択された項目データのもとになる出版データ、すなわち、特定の出版データの配送を要求する要求信号が送信される。
ここで、定期出版物の特定の出版データを定期的に入手しようとする場合、接続要求部１６から送信される接続信号と、出版データ選定部１７から送信される要求信号を含む配送依頼信号を送信タイミング設定部１８に記憶させると共に、入手したい年月日にこの記憶された配送依頼信号が出版者側情報処理装置１２に送信されるように送信タイミング設定部１８の動作を設定する。
【００４４】
送信された要求信号は出版者側情報処理装置１２の出版データ配送手段３２で受信され、出版データ配送手段３２は出版データ蓄積手段３０内の出版データから対応する特定の出版データを抽出し、ネットワーク１１を介して消費者側情報処理装置１３に配送する。
なお、出版データ配送手段３２が消費者側情報処理装置１３に特定の出版データを配送したのを受けて、配送管理手段３３にはどの消費者側情報処理装置１３にどの出版データを配送したかの記録が行われる。
これによって、出版者側情報処理装置１２において消費者側情報処理装置１３毎に出版データの配送内容を容易に把握することができ、その消費者側情報処理装置１３を使用する消費者毎に出版データの配送に伴う費用の請求を容易に行うことができる。
【００４５】
出版者側情報処理装置１２から配送された特定の出版データは、消費者側情報処理装置１３の印刷手段１５に設けられた出版データ受信部１９で受信しながら保存される。そして、出版データ受信部１９は、特定の出版データの受信が終了したことを受けて、保存している特定の出版データを自動的に自動データ印刷部２０に送信する。
ここで、出版データ受信部１９が操作手段１７ａからの印刷指示信号を受けてから保存している特定の出版データを送信する場合は、特定の出版データの受信が終了すると、操作手段１７ａからの印刷指示信号の入力待ちの状態になる。そして、操作手段１７ａから印刷指示信号が入力されると、保存している特定の出版データを自動的に自動データ印刷部２０に送信する。
【００４６】
自動データ印刷部２０では、特定の出版データを受信してリライタブルペーパーに印刷する。そして、自動データ印刷部２０はリライタブルペーパーへの印刷が終了すると、印刷終了信号を自動データ消去部２１に送り、自動データ消去部２１は出版データ受信部１９に保存されている特定の出版データの消去を指示する消去信号を出版データ受信部１９に送信する。これによって、出版データ受信部１９内に保存されている特定の出版データは消去され、繰り返し印刷されるのを防止できる。
ここで、感熱紙型のリライタブルペーパーを使用する場合、印刷内容消去部２２と自動データ印刷部２０が一体化されたタイプのもの（例えば、印刷内容消去部２２が自動データ印刷部２０の給紙口と感熱ヘッドの間に設置されているもの）を用いるようにすると、使用済みのリライタブルペーパーでは印刷する前に必ず消字が行われることになり、使用済みのリライタブルペーパーの再使用を容易に行うことができる。
【００４７】
図４に示すように、本発明の第２の実施の形態に係る出版物の電子配送システム３６は、第１の実施の形態に係る出版物の電子配送システム１０の印刷手段１５の代りに、印刷手段としてリライタブルペーパー用のファックス受信機３７を使用して消費者側情報処理装置３８を構成していることが特徴となっている。このため、ファックス受信機３７に関してのみ説明し、出版物の電子配送システム１０と同一の部材については同一の符号を付して説明を省略する。
ファックス受信機３７は、出版データ配送手段３２から送られてきた特定の出版データを受信してリライタブルペーパーに印刷する機能を備えた受信印刷部３９と、印刷前に使用済みのリライタブルペーパーを書込み可能な状態にして受信印刷部３９に給紙する印刷内容消去部４０を有している。
【００４８】
ここで、感熱紙型のリライタブルペーパーを使用する場合、受信印刷部３９に印字用の感熱ヘッドを設け、印刷内容消去部４０には、０．３〜１秒の間に１２０〜１４０℃まで加熱して冷却する能力を備えた加熱冷却機を設ける。なお、ファックス受信機３７の給紙口と感熱ヘッドの間に印刷内容消去部４０を設けることにより、印刷内容消去部４０と受信印刷部３９の一体化を図ることができる。
また、リライタブルペーパーにフォトクロミック化合物を使用した感光紙型のリライタブルペーパーを使用する場合は、受信印刷部３９及び印刷内容消去部４０の仕様を感光紙型のリライタブルペーパー用にする。
【００４９】
次に、本発明の第２の実施の形態に係る出版物の電子配送システム３６の使用方法について説明する。
出版物の電子配送システム３６においても、特定の出版データの配送を要求する要求信号は出版物の電子配送システム１０と同様に送信することができる。そして、送信された要求信号は出版者側情報処理装置１２で受信され、出版者側情報処理装置１２のから特定の出版データがネットワーク１１（例えば、ＩＰ電話回線）を介して消費者側情報処理装置３８に配送される。そして、出版者側情報処理装置１２から配送された特定の出版データは、消費者側情報処理装置３８のファックス受信機３７で受信され、ファックス受信機３７の受信印刷部３９において順次リライタブルペーパーに印刷が行われる。
ここで、感熱紙型のリライタブルペーパーを使用する場合、印刷内容消去部４０と受信印刷部３９が一体化されたファックス受信機（例えば、印刷内容消去部４０が給紙口と感熱ヘッドの間に設置されているもの）では、使用済みのリライタブルペーパーを使用する場合には印刷前に必ず消字が行われることになり、使用済みのリライタブルペーパーの再使用を容易に行うことができる。
【００５０】
図５、図６に示すように、本発明の第３の実施の形態に係る出版物の電子配送システム４１は、第１の実施の形態に係る出版物の電子配送システム１０と比較して、消費者側情報処理装置４２の出版データ要求手段４３に送信タイミング設定部１８を設けず、出版者側情報処理装置４４に要求信号を記憶し定められたタイミングで要求信号を出版者側情報処理装置４４内で自己出力する配送タイミング手段４５を設けていることが特徴となっている。このため、配送タイミング手段４５に関してのみ説明し、出版物の電子配送システム１０と同一の部材については同一の符号を付して説明を省略する。
【００５１】
配送タイミング手段４５は、消費者側情報処理装置４２から送信された特定の出版データの配送を要求する要求信号を記憶する機能を有している。また、配送タイミング手段４５は、特定の出版データの中から次回の出版データの更新年月日に関する情報を抽出し、抽出した更新年月日と内部に設けられたカレンダー機能とを対比して、この特定の出版データが更新された時点で記憶している要求信号を出版データ搬送手段３２に出力する出力タイミング設定機能を有している。これによって、出版者側情報処理装置４４では、特定の出版データの更新に合わせて定期的に、最新の特定の出版データを消費者側情報処理装置４２に配送することができる。
なお、配送タイミング手段４５は、上記の各機能を発現するプログラムをコンピュータに搭載させることにより構成することができる。
【００５２】
次に、本発明の第３の実施の形態に係る出版物の電子配送システム４１の使用方法について説明するが、出版物の電子配送システム４１では、出版物の電子配送システム１０と比較して、消費者側情報処理装置４２から、始めに特定の出版データの配送の要求があると、次回からはこの特定の出版データの更新に合わせて定期的に、最新の特定の出版データが消費者側情報処理装置４２に配送されることが特徴なので、これに関連する出版物の電子配送システム４１の使用方法についてのみ説明する。
出版物の電子配送システム４１において、消費者側情報処理装置４２からネットワーク１１を介して出版者側情報処理装置４４に接続して定期出版物の出版データを入手しようとする場合、先ず、出版データ要求手段４３の接続要求部１６を用いて、例えば、ＩＤコード及びパスワードを入力して接続信号をネットワーク１１を介して出版者側情報処理装置４４に送信する。
【００５３】
接続信号は出版者側情報処理装置４４の接続認証手段２９で受け取られ、接続認証手段２９に予め登録しておいたＩＤコードとパスワードの組み合わせと一致するかの確認が行われる。送信された接続信号のＩＤコードとパスワードが登録されているＩＤコードとパスワードの組み合わせと一致する場合、項目データ送信手段３１を起動して消費者側情報処理装置４２と出版者側情報処理装置４４が接続状態になる。
そして、項目データ送信手段３１は、出版データ蓄積手段３０に蓄積されている出版データの中から項目データを抽出しネットワーク１１を介して消費者側情報処理装置４２に送信する。
【００５４】
送信された項目データは消費者側情報処理装置４４の出版データ選定部１７で受信され、消費者側情報処理装置４２に設けられた表示装置に表示する。そして、表示された項目データの中から特定の項目データが消費者側情報処理装置４２に設けられた操作手段１７ａを用いて選択されると、出版データ選定部１７から出版者側情報処理装置４４に向けて選択された項目データのもとになる出版データ、すなわち、特定の出版データの配送を要求する要求信号が送信される。
送信された要求信号は出版者側情報処理装置４４の出版データ配送手段３２で受信され、出版データ配送手段３２は出版データ蓄積手段３０内の出版データから対応する特定の出版データを抽出し、ネットワーク１１を介して消費者側情報処理装置４２に配送する。
【００５５】
また、出版者側情報処理装置４４に送信された要求信号は、出版者側情報処理装置４４の配送タイミング手段４５においても受信されて記憶される。また、配送タイミング手段４５では、要求信号が受信されたのを受けて、出版データ配送手段３２が消費者側情報処理装置４２に配送した特定の出版データの中から、次回の出版データの更新年月日に関する情報を抽出して記憶する。
そして、配送タイミング手段４５では、抽出した更新年月日と内部に設けられたカレンダー機能とを対比させて、この特定の出版データが更新された時点で記憶している要求信号を出版データ搬送手段３２に出力する。
これによって、出版データ搬送手段３２では、出版データ蓄積手段３０内の出版データから要求信号に対応する更新済の特定の出版データを抽出し、ネットワーク１１を介して消費者側情報処理装置４２に配送する。従って、消費者側情報処理装置４２では、特定の出版データをその出版データの更新が行われる度に、自動的に入手することができる。
【００５６】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の出版物の電子配送システムを構成する場合も本発明の権利範囲に含まれる。
例えば、消費者側情報処理装置を出版者側情報処理装置に接続する際に、ＩＤコードとパスワードを入力するようにしたが、ＩＤコードとパスワードの登録が行われた後では、消費者側情報処理装置からＩＤコードに関するデータは自動的に送信され、パスワードだけを消費者側情報処理装置に入力することで認証が行われるようにしてもよい。
また、印刷内容消去部が一体型となった自動データ印刷部を構成したが、印刷内容消去部と自動データ印刷部とを独立にしてもよい。
【００５７】
また、送信タイミング設定部には、接続要求部から送信する接続信号と、出版データ選定部から送信する要求信号を含む配送依頼信号を記憶し、例えば、新聞では毎日決まった時間、雑誌では予め設定された年月日にこの記憶された配送依頼信号を出版者側情報処理装置に送信するような機能を付与したが、出版者側情報処理装置から出版データの更新の時期に関する情報、例えば、出版データ受信部から送られてきた特定の出版データの中から次回の出版データの更新年月日に関する情報を受け取り、この情報に基づいて配送依頼信号の送信タイミングを設定する機能を付与するようにしてもよい。
【００５８】
消費者側情報処理装置をコンピュータを用いて構成するようにしたが、携帯電話等の移動体端末を用いて構成してもよい。そして、印刷手段として可搬式のファックス受信機を使用するようにすると、種々の場所から出版者側情報処理装置にアクセスすることが可能になると共に、出版者側情報処理装置から配送される特定の出版データを任意の場所において受信して、印刷することが可能になる。
第１の実施の形態において、消費者側情報処理装置の出版データ要求手段から送信タイミング設定部を除いて消費者側情報処理装置を構成してもよい。第３の実施の形態において、印刷手段にファックス受信機を使用して消費者側情報処理装置を構成してもよい。更に第３の実施の形態において、配送タイミング手段は次回の出版データ更新時期に関する情報を出版データ自体から抽出して記憶するとしたが、別の入力手段（例えば、キーボード等の操作端末、ネットワーク等の情報通信回線）を用いて次回の出版データ更新時期を入力するようにしてもよい。
【図面の簡単な説明】
【００５９】
【図１】本発明の第１の実施の形態に係る出版物の電子配送システムの説明図である。
【図２】同出版物の電子配送システムの消費者側情報処理装置の説明図である。
【図３】同出版物の電子配送システムの出版者側情報処理装置の説明図である。
【図４】本発明の第２の実施の形態に係る出版物の電子配送システムの消費者側情報処理装置の説明図である。
【図５】本発明の第３の実施の形態に係る出版物の電子配送システムの消費者側情報処理装置の説明図である。
【図６】同出版物の電子配送システムの出版者側情報処理装置の説明図である。
【符号の説明】
【００６０】
１０：出版物の電子配送システム、１１：ネットワーク、１２：出版者側情報処理装置、１３：消費者側情報処理装置、１４：出版データ要求手段、１５：印刷手段、１６：接続要求部、１７：出版データ選定部、１７ａ：操作手段、１８：送信タイミング設定部、１９：出版データ受信部、２０：自動データ印刷部、２１：自動データ消去部、２２：印刷内容消去部、２３：出版データ受け入れ系統、２４：出版データ配送系統、２５：出版データ更新系統、２６：記事データ入力手段、２７：広告データ入力手段、２８：入力情報記憶手段、２９：接続認証手段、３０：出版データ蓄積手段、３１：項目データ送信手段、３２：出版データ配送手段、３３：配送管理手段、３４：出版データ更新手段、３５：広告主管理手段、３６：出版物の電子配送システム、３７：ファックス受信機、３８：消費者側情報処理装置、３９：受信印刷部、４０：印刷内容消去部、４１：出版物の電子配送システム、４２：消費者側情報処理装置、４３：出版データ要求手段、４４：出版者側情報処理装置、４５：配送タイミング手段
【図１】
2005175899.tif 000003
【図２】
2005175899.tif 000004
【図３】
2005175899.tif 000005
【図４】
2005175899.tif 000006
【図５】
2005175899.tif 000007
【図６】
2005175899.tif 000008